(57)【特許請求の範囲】
【請求項１】
遊技球を表側から裏側に通過させる開口部を有して遊技盤の表面に取り付けられる台板と、該台板に垂直となる方向の支持軸により起立位置と倒伏位置とに変位可能に軸支されて前記台板の前面側に配される一対の開閉体であって、前記起立位置では対面する案内面間で遊技球を前記開口部に誘導し、前記倒伏位置では上方から落下してくる遊技球を前記案内面で受け止めて前記開口部に誘導する開閉体と、該開閉体の駆動源となるプランジャ式ソレノイドと、前記開口部を通過した遊技球を前記遊技盤の背面側に誘導する誘導樋とを備える可変入賞装置において、
プランジャの移動方向を前記可変入賞装置の幅方向とほぼ平行にして前記ソレノイドを前記誘導樋の上側に配し、
前記開閉体には、前記支持軸の外側で前記台板の背後に達する突起を設け、
前記台板には前記開閉体の前記起立、倒伏変位に際しての前記突起の移動を許す突起移動域を設け、
前記プランジャの移動方向とほぼ平行な支点軸によって軸支されて前記誘導樋を挟む位置に１本ずつ配される一対の駆動腕であって、それぞれが先端部にて前記突起を保持する駆動腕と、該駆動腕同士を連結して前記支点軸を中心とする回動について連動させる連結部と、前記一対の駆動腕の一方に連設され前記プランジャの駆動力を前記回動させる力として該駆動腕に伝える受動部とからなる梃子部材を備え、
前記ソレノイドの非通電時には前記開閉体を前記起立位置とし、前記ソレノイドに通電した際には前記開閉体を前記倒伏位置とし、
さらに、
前記ソレノイドは、非通電時にはリターンスプリングの力で前記プランジャを突き出し、通電時には該プランジャを引き込む形式であり、
前記受動部には軸方向を前記プランジャの移動方向に沿わせたカム穴が、前記プランジャには先端側が小径で先端から遠い側が大径のカム体が設けられ、
前記プランジャの引き込み時には前記カム体を前記カム穴から後退させることで前記開閉体の自重による前記倒伏位置への変位を許し、
前記プランジャを突き出すと前進する前記カム体が前記カム穴の内面に接触して前記受動部に前記駆動腕の先端を上向きに変位させる力を及ぼすことで前記開閉体を前記起立位置へ復帰させる
ことを特徴とする可変入賞装置。
【請求項２】
遊技球を表側から裏側に通過させる開口部を有して遊技盤の表面に取り付けられる台板と、該台板に垂直となる方向の支持軸により起立位置と倒伏位置とに変位可能に軸支されて前記台板の前面側に配される一対の開閉体であって、前記起立位置では対面する案内面間で遊技球を前記開口部に誘導し、前記倒伏位置では上方から落下してくる遊技球を前記案内面で受け止めて前記開口部に誘導する開閉体と、該開閉体の駆動源となるプランジャ式ソレノイドと、前記開口部を通過した遊技球を前記遊技盤の背面側に誘導する誘導樋とを備える可変入賞装置において、
プランジャの移動方向を前記可変入賞装置の幅方向とほぼ平行にして前記ソレノイドを前記誘導樋の上側に配し、
前記開閉体には、前記支持軸の外側で前記台板の背後に達する突起を設け、
前記台板には前記開閉体の前記起立、倒伏変位に際しての前記突起の移動を許す突起移動域を設け、
前記プランジャの移動方向とほぼ平行な支点軸によって軸支されて前記誘導樋を挟む位置に１本ずつ配される一対の駆動腕であって、それぞれが先端部にて前記突起を保持する駆動腕と、該駆動腕同士を連結して前記支点軸を中心とする回動について連動させる連結部と、前記一対の駆動腕の一方に連設され前記プランジャの駆動力を前記回動させる力として該駆動腕に伝える受動部とからなる梃子部材を備え、
前記ソレノイドの非通電時には前記開閉体を前記起立位置とし、前記ソレノイドに通電した際には前記開閉体を前記倒伏位置とし、
さらに、
前記ソレノイドは、非通電時にはリターンスプリングの力で前記プランジャを突き出し、通電時には該プランジャを引き込む形式であり、
前記プランジャと前記受動部とを、前記プランジャの引き込み時には前記駆動腕の先端を下向きに変位させる方向の力を前記受動部に及ぼし、前記プランジャの突き出し時には前記駆動腕の先端を上向きに変位させる方向の力を前記受動部に及ぼすクランク体を介して連結し、
前記プランジャの先端には、前記クランク体の一端が緩みなく且つ回転は可能に挿通されており、
前記受動部には前記支点軸の軸方向に沿って張り出された横板が設けられ、そこに前記横板の対角線に沿った遊嵌穴を設けて前記クランク体の他端が挿通されており、
前記プランジャの突き出し時には、前記クランク体の横軸が前記プランジャと直角方向になるとともに、前記クランク体が前記横板を前記可変入賞装置の後方に向けて押して、前記クランク体が前記プランジャと前記横板との間で突っ張った状態になり、それにより前記受動部には前記駆動腕の先端を上昇させる方向の力が作用して、この力により前記開閉体を前記起立位置となり、
前記プランジャの引き込み時には、前記プランジャの力は前記クランク体を介して前記横板すなわち前記受動部を引き寄せる力として作用し、前記受動部が前記支点軸を中心として前記プランジャ側に回動し、この前記受動部の変位は前記駆動腕の先端を下降させる方向に作用して、前記開閉体を前記起立位置から前記倒伏位置にさせる
ことを特徴とする可変入賞装置。
【請求項３】
請求項１または２記載の可変入賞装置において、
検出対象となる遊技球を通過させる通過穴を有し前記開口部を通過した遊技球を検出する検出器を、遊技球が前記開口部を通過しきらないうちに前記通過穴に進入する間隔で前記台板の背後に沿わせて前記ソレノイドと前記台板との間に配したことを特徴とする可変入賞装置。
【発明の詳細な説明】
【０００１】
【発明の属する技術分野】
本発明は、パチンコ機に代表される弾球遊技機の技術分野に属し、詳しくは遊技盤に装着される可変入賞装置に関する。
【０００２】
【従来の技術】
弾球遊技機には入賞が困難な状態と入賞が容易な状態とに変化する可変入賞装置が用いられることが多い。中でも「チューリップ」と呼ばれる形式の可変入賞装置は、必ずと言ってもよいほどに備わっている。
【０００３】
通常のチューリップ式の可変入賞装置は、遊技球を表側から裏側に通過させる開口部を有して遊技盤の表面に取り付けられる台板、その台板に垂直となる方向の支持軸により起立位置と倒伏位置とに変位可能に軸支されて台板の前面側に配される一対の開閉体であって、起立位置では対面する案内面間で遊技球を開口部に誘導し、倒伏位置では上方から落下してくる遊技球を案内面で受け止めて開口部に誘導する開閉体、これら開閉体の駆動源となるプランジャ式ソレノイド及び開口部を通過した遊技球を遊技盤の背面側に誘導する誘導樋を備えている（例えば特開平７−２８４５５６号公報）。さらに、検出対象となる遊技球を通過させる通過穴を有し開口部を通過した遊技球を検出する検出器を備えるものがある（例えば特公平７−５９２５９号公報）。
【０００４】
【発明が解決しようとする課題】
上記の特開平７−２８４５５６号公報や特公平７−５９２５９号公報にも記載されているとおり、従来のチューリップ式の可変入賞装置においては、駆動源となるソレノイドは、プランジャの移動方向を可変入賞装置の奥行き方向（遊技盤に垂直な方向）にして取り付けられていたので、可変入賞装置の奥行き寸法が大きかった。
【０００５】
なお、プランジャの移動方向を上下方向にするのは、誘導樋と干渉するので困難であった。
特に、遊技盤の背後に制御装置等を取り付ける場合に、入賞装置等の遊技盤の背後への突出寸法が大きいと、それだけ制御装置等を遊技盤から離す必要があり、弾球遊技機の全体的な奥行きを大きくしてしまうという問題があった。
【０００６】
本発明は、可変入賞装置の奥行き寸法を低減することを目的としている。
【０００７】
【課題を解決するための手段及び発明の効果】
請求項１記載の可変入賞装置は、遊技球を表側から裏側に通過させる開口部を有して遊技盤の表面に取り付けられる台板と、該台板に垂直となる方向の支持軸により起立位置と倒伏位置とに変位可能に軸支されて前記台板の前面側に配される一対の開閉体であって、前記起立位置では対面する案内面間で遊技球を前記開口部に誘導し、前記倒伏位置では上方から落下してくる遊技球を前記案内面で受け止めて前記開口部に誘導する開閉体と、該開閉体の駆動源となるプランジャ式ソレノイドと、前記開口部を通過した遊技球を前記遊技盤の背面側に誘導する誘導樋とを備える可変入賞装置において、
プランジャの移動方向を前記可変入賞装置の幅方向とほぼ平行にして前記ソレノイドを前記誘導樋の上側に配し、
前記開閉体には、前記支持軸の外側で前記台板の背後に達する突起を設け、
前記台板には前記開閉体の前記起立、倒伏変位に際しての前記突起の移動を許す突起移動域を設け、
前記プランジャの移動方向とほぼ平行な支点軸によって軸支されて前記誘導樋を挟む位置に１本ずつ配される一対の駆動腕であって、それぞれが先端部にて前記突起を保持する駆動腕と、該駆動腕同士を連結して前記支点軸を中心とする回動について連動させる連結部と、前記一対の駆動腕の一方に連設され前記プランジャの駆動力を前記回動させる力として該駆動腕に伝える受動部とからなる梃子部材を備え、
前記ソレノイドの非通電時には前記開閉体を前記起立位置とし、前記ソレノイドに通電した際には前記開閉体を前記倒伏位置とする。
【０００８】
プランジャの移動方向を可変入賞装置の幅方向とほぼ平行にしてソレノイドを誘導樋の上側に配したので、プランジャのストロークが可変入賞装置の奥行き寸法に影響することはなく、可変入賞装置の奥行き寸法を小さくできる。
プランジャの移動方向が可変入賞装置の幅方向とほぼ平行になるが、上記の構成により、ソレノイドの非通電時には開閉体を起立位置とし、ソレノイドに通電した際には開閉体を倒伏位置とできる。
【０００９】
また、請求項１記載の可変入賞装置は、前記ソレノイドは、非通電時にはリターンスプリングの力で前記プランジャを突き出し、通電時には該プランジャを引き込む形式であり、前記受動部には軸方向を前記プランジャの移動方向に沿わせたカム穴が、前記プランジャには先端側が小径で先端から遠い側が大径のカム体が設けられ、前記プランジャの引き込み時には前記カム体を前記カム穴から後退させることで前記開閉体の自重による前記倒伏位置への変位を許し、前記プランジャを突き出すと前進する前記カム体が前記カム穴の内面に接触して前記受動部に前記駆動腕の先端を上向きに変位させる力を及ぼすことで前記開閉体を前記起立位置へ復帰させることを特徴とするので、プランジャの駆動力を受動部に伝達する構成が簡単である。
【００１０】
また、請求項２記載の可変入賞装置は、前記ソレノイドは、非通電時にはリターンスプリングの力で前記プランジャを突き出し、通電時には該プランジャを引き込む形式であり、前記プランジャと前記受動部とを、前記プランジャの引き込み時には前記駆動腕の先端を下向きに変位させる方向の力を前記受動部に及ぼし、前記プランジャの突き出し時には前記駆動腕の先端を上向きに変位させる方向の力を前記受動部に及ぼすクランク体を介して連結し、前記プランジャの先端には、前記クランク体の一端が緩みなく且つ回転は可能に挿通さされており、前記受動部には前記支点軸の軸方向に沿って張り出された横板が設けられ、そこに前記横板の対角線に沿った遊嵌穴を設けて前記クランク体の他端が挿通されており、前記プランジャの突き出し時には、前記クランク体の横軸が前記プランジャと直角方向になるとともに、前記クランク体が前記横板を前記可変入賞装置の後方に向けて押して、前記クランク体が前記プランジャと前記横板との間で突っ張った状態になり、それにより前記受動部には前記駆動腕の先端を上昇させる方向の力が作用して、この力により前記開閉体を前記起立位置となり、前記プランジャの引き込み時には、前記プランジャの力は前記クランク体を介して前記横板すなわち前記受動部を引き寄せる力として作用し、前記受動部が前記支点軸を中心として前記プランジャ側に回動し、この前記受動部の変位は前記駆動腕の先端を下降させる方向に作用して、前記開閉体を前記起立位置から前記倒伏位置にさせたことを特徴とする。クランク体によってプランジャと受動部とが連結されるので動作の信頼性が高くなる。
【００１１】
請求項３記載の可変入賞装置は、請求項１または２記載の可変入賞装置において、検出対象となる遊技球を通過させる通過穴を有し前記開口部を通過した遊技球を検出する検出器を、遊技球が前記開口部を通過しきらないうちに前記通過穴に進入する間隔で前記台板の背後に沿わせて前記ソレノイドと前記台板との間に配したことを特徴とする。
【００１２】
遊技球が台板の開口部を通過しきらないうちに検出器の通過穴に進入する間隔で検出器を台板の背後に沿わせて配しているので、検出器の厚み分（数ミリ程度）は可変入賞装置の奥行き寸法に影響する。
しかし、特公平７−５９２５９号公報に記載のように検出器を誘導樋の底面に沿わせて配置する場合は遊技盤に開ける穴のサイズがこの分だけ大きくなってしまうが、請求項４の構成ならこのような問題を回避できるので、遊技盤の穴開け加工に要する工数を低減できる。またこの穴が小さくて済むので、遊技盤の表裏両側における部品配置の自由度が高まる。
【００１３】
【発明の実施の形態】
次に、本発明の実施例により発明の実施の形態を説明する。
【００１４】
【実施例１】
まず図１〜６を参照して、第１の実施例（実施例１）を説明する。なお、図１は可変入賞装置の可動片を起立位置とした状態の平面図、正面図及び背面図を、図２は可変入賞装置の可動片を起立位置とした時の側面図と断面図を、図３は可変入賞装置の可動片を起立位置とした時の斜視図を、図４は可変入賞装置の可動片を倒伏位置とした状態の平面図、正面図及び背面図を、図５は可変入賞装置の可動片を倒伏位置とした時の側面図と断面図を、図６は可変入賞装置の可動片を倒伏位置とした時の斜視図をそれぞれ示している。
【００１５】
可変入賞装置１０の台板１１にはビス穴１２が設けられており、このビス穴１２を貫通するビスにて例えばパチンコ機の遊技盤の表面に取り付けられる。パチンコ機や遊技盤は公知であるので図示と説明は省略する。台板１１の中央部には開口部に該当する入賞穴１３が設けられ、上部には前面側に突出する枠状のゲート１４が設けられている。入賞穴１３及びゲート１４は遊技球が通過可能な寸法である。なお、本実施例では入賞穴１３は周が閉じている穴であるが、開口部は例えば切欠き状（周の一部が開いている）としてもよい。
【００１６】
台板１１の背後には内部に誘導樋１５を備える箱体１９が配され、台板１１の背面に立設されたボス２２にビス止めされて台板１１と連結されている。誘導樋１５の前端は入賞穴１３に連通し後端は開放されている。また誘導樋１５の底部は前端側から後端側へと傾斜しており、入賞穴１３から流入した遊技球を後端へと導いて、落下させる。
【００１７】
誘導樋１５の底部には凹部２３が設けられ、また箱体１９の上部には挿通穴２４が設けられている。そして、挿通穴２４から差し込まれ凹部２３に頭部を嵌合させて、検出器に該当する近接センサ２５が装着されている。
この近接センサ２５は遊技球が通過可能な検出穴２６（通過穴に該当）を備えており、検出穴２６内の遊技球の存否を電磁的に検出する（その構成は公知であるので説明は省略する。また、通過穴を通過する遊技球によってオン、オフされるマイクロスイッチを備える検出器を使用することもできる）。近接センサ２５は、検出穴２６の軸を誘導樋１５の軸に沿わせる姿勢（わずかに傾いた姿勢）で台板１１の背後に沿うように配されて、検出穴２６の底面が誘導樋１５の前端部の底面とほぼ一連とされているので、誘導樋１５を流下する遊技球の動きを妨げない。
【００１８】
また近接センサ２５と台板１１との間隔は、遊技球が入賞穴１３を通過しきらないうちに検出穴２６に進入する間隔である。したがって、近接センサ２５を装着したことによる、可変入賞装置１０の奥行き寸法に対する影響は、近接センサ２５の厚み分（数ミリ程度）に過ぎない。なお、近接センサ２５を台板１１に密接させることも可能であるが、その場合は検出穴２６の底面が水平方向になるので、遊技球の移動速度が低下する。
【００１９】
ゲート１４の下側には台板１１とほぼ平行に前面板１６が配されており、その基部１６ａにて台板１１と連結（本実施例ではビス止め）されている。また、前面板１６台板１１との間には遊技球が通過可能な案内部１７が形成されており、案内部１７に流入した遊技球は入賞穴１３に誘導される。案内部１７の底は前面板１６から入賞穴１３に向かって傾斜し、また入賞穴１３に向かっての遊技球の移動を速やかならしめるための誘導リブ１８が立設されている。
【００２０】
前面板１６と台板１１との間には開閉体に該当する一対の可動片２０が配されている。可動片２０は前面板１６の背後側に設けられた支持軸２１により起立位置（例えば図３に示す位置）と倒伏位置（図６に示す位置）とに変位可能に軸支されている。可動片２０は、起立位置にあるときには対面する案内面２０ａ間にて案内部１７内に垂直方向の通路を形成し、ゲート１４から流入した遊技球を入賞穴１３に誘導する。また倒伏位置にあるときには案内面２０ａ間の角度を鈍角として、その上方から落下してくる遊技球を案内面２０ａにて受け止めて、これを案内部１７へと誘い込む。
【００２１】
可動片２０の背面には支持軸２１の外側となる位置に突起に該当する駆動軸２８が立設され、台板１１には円弧状の長穴２９が設けられており、駆動軸２８は長穴２９を貫通して台板１１の背後に突出している。長穴２９は突起移動域に該当し、可動片２０の起立位置〜倒伏位置間の変位に応じて駆動軸２８が長穴２９内を往復移動できる。
【００２２】
駆動軸２８の端部は、駆動腕３０ａ、３０ｂのＣ字状の掴部３１に差し込まれた状態で保持されている。
駆動腕３０ａ、３０ｂの後端部は、誘導樋１５の後端から外れた位置で箱体１９を貫通している支点軸３２によって共軸に軸支されており、また支点軸３２を覆うように配された連結部３３にて連結されている。このため、駆動腕３０ａ、３０ｂは支点軸３２を中心とする回動について連動する。
【００２３】
一方の駆動腕３０ａには板状の受動部３５が連設されている。受動部３５には大径部３６と小径部３７とからなるカム穴３９が設けられている。駆動腕３０ａ、３０ｂ及び連結部３３により梃子部材が構成されている。
カム穴３９にはソレノイド４０のプランジャ４１の先端部が挿通されている。
【００２４】
ソレノイド４０は、非通電時にはリターンスプリング（図示は省略）の力でプランジャ４１を突き出し、通電時にはプランジャ４１を引き込む形式である。プランジャ４１の先端部には円錐台状のテーパ部４２と円柱状の基部４３とからなるカム体４５が装着されている。
【００２５】
ソレノイド４０が非通電でプランジャ４１を突き出しているときには、カム体４５の基部４３がカム穴３９の大径部３６内に嵌入された状態になる。その際には、受動部３５が図２における時計回り方向に引き上げられた位置とされるので、駆動腕３０ａ、３０ｂも同方向に引き上げられている。そして駆動軸２８が駆動腕３０ａ、３０ｂによって長穴２９の上端部に引き上げられ、可動片２０が起立位置にされている。
【００２６】
ソレノイド４０に通電されてプランジャ４１が引き込まれると、カム体４５がカム穴３９から退去してプランジャ４１の先端がカム穴３９内になるので、カム体４５の基部４３がカム穴３９を介して受動部３５に及ぼしていた力（受動部３５を引き上げる力）が解除される。つまり、駆動腕３０ａ、３０ｂ及び受動部３５の支点軸３２を中心にしての図２における反時計回り方向への回動変位が可能になる。そして、これらの自重が倒伏方向に作用する可動片２０の自重と共同作用して、可動片２０が起立位置から倒伏位置に変位する。
【００２７】
さらに、可動片２０が倒伏位置にあるときにソレノイド４０への通電を停止すると、プランジャ４１が突き出されてきてカム体４５がカム穴３９に進入する。
この際、カム体４５のテーパ部４２は、カム穴３９の内面に力を及ぼして受動部３５を引き上げながら前進し、テーパ部４２がカム穴３９を通過すると基部４３がカム穴３９内に来て上述のとおり大径部３６内に嵌入された状態になる。
【００２８】
なお、カム体４５の基部４３がカム穴３９の大径部３６に嵌入された状態にあるときには、可動片２０に力を及ぼしてこれを倒伏位置に変位させようとしても、テーパが設けられていない基部４３がカム穴３９にはまりこんでロックしているので、可動片２０を倒伏位置にすることはできない。したがって、遊技球の衝突による衝撃で可動片２０が倒伏位置になることはない。また、針金などを使用して不正に可動片２０を倒伏位置にさせようとする試みにも耐える。
【００２９】
以上のとおり、プランジャ４１の移動方向を可変入賞装置１０の幅方向とほぼ平行にしてソレノイド４０を誘導樋１５の上側に配したので、プランジャ４１のストロークが可変入賞装置１０の奥行き寸法に影響することはなく、可変入賞装置１０の奥行き寸法を小さくできる。
【００３０】
プランジャ４１の移動方向が可変入賞装置１０の幅方向とほぼ平行になるが、上記の構成により、ソレノイド４０の非通電時には可動片２０を起立位置とし、ソレノイド４０に通電した際には可動片２０を倒伏位置とできる。
ソレノイド４０は、非通電時にはリターンスプリングの力でプランジャ４１を突き出し、通電時にはプランジャ４１を引き込む形式であり、受動部３５には軸方向をプランジャ４１の移動方向に沿わせたカム穴３９が、プランジャ４１には先端側が小径で先端から遠い側が大径のカム体４５が設けられ、プランジャ４１の引き込み時にはカム体４５をカム穴３９から後退させることで可動片２０の自重による倒伏位置への変位を許し、プランジャ４１を突き出すと前進するカム体４５がカム穴３９の内面に接触して受動部３５に駆動腕３０ａ、３０ｂの先端を上向きに変位させる力を及ぼすことで可動片２０を起立位置へ復帰させるので、プランジャ４１の駆動力を受動部３５に伝達する構成が簡単である。
【００３１】
検出対象となる遊技球を通過させる検出穴２６を有し入賞穴１３を通過した遊技球を検出する近接センサ２５を、遊技球が入賞穴１３を通過しきらないうちに検出穴２６に進入する間隔で台板１１の背後に沿わせてソレノイド４０と台板１１との間に配したので、近接センサ２５の厚み分（数ミリ程度）しか可変入賞装置１０の奥行き寸法に影響していない。
【００３２】
また近接センサ２５を上記のように設置するので、例えば近接センサ等の検出器を誘導樋１５の底面に沿わせて配置する場合にくらべれば、遊技盤に開ける穴のサイズが小さくて済むから、遊技盤の穴開け加工に要する工数を低減できる。またこの穴が小さくて済むので、遊技盤の表裏両側における部品配置の自由度が高まる。
【００３３】
【実施例２】
この実施例は、プランジャの駆動力を受動部に及ぼすクランク体を用いた例である。
参照する図７〜１２について、図７は可変入賞装置の可動片を起立位置とした状態の平面図、正面図及び背面図を、図８は可変入賞装置の可動片を起立位置とした時の側面図と断面図を、図９は可変入賞装置の可動片を起立位置とした時の斜視図を、図１０は可変入賞装置の可動片を倒伏位置とした状態の平面図、正面図及び背面図を、図１１は可変入賞装置の可動片を倒伏位置とした時の側面図と断面図を、図１２は可変入賞装置の可動片を倒伏位置とした時の斜視図をそれぞれ示している。
【００３４】
なお、この実施例の可変入賞装置の構造は、クランク体に関わる構成以外は実施例１と同じであるから、それらについては実施例１と同じ符号を使用して説明を省略する。
可変入賞装置５０では、プランジャ４１の先端に軸受５１を装着し、これにクランク体５２の一端を緩みなく（回転は可能に）挿通させている。
【００３５】
また、受動部５３には支点軸３２の軸方向に沿って張り出された横板５４を設け、そこに横板５４の対角線に沿った遊嵌穴５５を設けてクランク体５２の他端を挿通させている。遊嵌穴５５の長径はクランク体５２の径の約１．５倍であり、クランク体５２はこの範囲で相対移動できる。
【００３６】
この可変入賞装置５０においては、ソレノイド４０を非通電にしてプランジャ４１を突き出しているときには、クランク体５２の横軸５２ａがプランジャ４１と直角方向になっており、クランク体５２が横板５４すなわち受動部５３を可変入賞装置５０の後方に向けて押している。すなわち、クランク体５２がプランジャ４１と横板５４との間で突っ張った状態になっており、それにより受動部５３には駆動腕３０ａ、３０ｂの先端の掴部３１を上昇させる方向の力が作用している。この力により可動片２０が起立位置にされる。
【００３７】
一方、ソレノイド４０に通電にしてプランジャ４１を引き込むと、プランジャ４１の力はクランク体５２を介して横板５４すなわち受動部５３を引き寄せる力として作用する。しかし、受動部５３はプランジャ４１に向かっての移動はできないので、受動部５３は、支点軸３２を中心としてプランジャ４１側に回動する。この受動部５３の変位は駆動腕３０ａ、３０ｂの掴部３１を下降させる方向に作用し、可動片２０を起立位置から倒伏位置にさせる。
【００３８】
さらに、可動片２０が倒伏位置にあるときにソレノイド４０への通電を停止するとプランジャ４１が突き出されるので、上述のようにクランク体５２がプランジャ４１と横板５４との間で突っ張り、受動部５３がプランジャ４１から遠ざかる側に回動し、駆動腕３０ａ、３０ｂの掴部３１が上昇させられるので、可動片２０が倒伏位置から起立位置にされる。
【００３９】
なお、可動片２０が起立位置にあるときにはクランク体５２がプランジャ４１と横板５４との間で突っ張っているので、可動片２０に力を及ぼしてこれを倒伏位置に変位させることはできない。したがって、遊技球の衝突による衝撃で可動片２０が倒伏位置になることはない。また、針金などを使用して不正に可動片２０を倒伏位置にさせようとする試みにも耐える。
【００４０】
以上のとおり、プランジャ４１の移動方向を可変入賞装置１０の幅方向とほぼ平行にしてソレノイド４０を誘導樋１５の上側に配したので、プランジャ４１のストロークが可変入賞装置１０の奥行き寸法に影響することはなく、可変入賞装置１０の奥行き寸法を小さくできる。
【００４１】
プランジャ４１の移動方向が可変入賞装置１０の幅方向とほぼ平行になるが、上記の構成により、ソレノイド４０の非通電時には可動片２０を起立位置とし、ソレノイド４０に通電した際には可動片２０を倒伏位置とできる。
ソレノイド４０は、非通電時にはリターンスプリングの力でプランジャ４１を突き出し、通電時にはプランジャ４１を引き込む形式であり、プランジャ４１と受動部５３とを、プランジャ４１の引き込み時には駆動腕３０ａ、３０ｂの先端を下向きに変位させる方向の力を受動部５３に及ぼし、プランジャ４１の突き出し時には駆動腕３０ａ、３０ｂの先端を上向きに変位させる方向の力を受動部５３に及ぼすクランク体５２を介して連結したので、動作の信頼性が高くなる。
【００４２】
検出対象となる遊技球を通過させる検出穴２６を有し入賞穴１３を通過した遊技球を検出する近接センサ２５を、遊技球が入賞穴１３を通過しきらないうちに検出穴２６に進入する間隔で台板１１の背後に沿わせてソレノイド４０と台板１１との間に配したので、近接センサ２５の厚み分（数ミリ程度）しか可変入賞装置１０の奥行き寸法に影響していない。
【００４３】
また近接センサ２５を上記のように設置するので、例えば近接センサ等の検出器を誘導樋１５の底面に沿わせて配置する場合にくらべれば、遊技盤に開ける穴のサイズが小さくて済むから、遊技盤の穴開け加工に要する工数を低減できる。
またこの穴が小さくて済むので、遊技盤の表裏両側における部品配置の自由度が高まる。
【００４４】
以上、２実施例にしたがって本発明の実施の形態を説明したが、本発明はこれらの例に限定されるものではない。
【図面の簡単な説明】
【図１】  実施例１の可変入賞装置において可動片を起立位置とした時の説明図であり、図１（ａ）は平面図、図１（ｂ）は正面図、図１（ｃ）は背面図である。
【図２】  実施例１の可変入賞装置において可動片を起立位置とした時の説明図であり、図２（ａ）は側面図、図２（ｂ）は図１（ｂ）に示すＡ−Ａ断面図である。
【図３】  実施例１の可変入賞装置において可動片を起立位置とした時の斜視図であり、図３（ａ）は正面側からの斜視図、図３（ｂ）は背面側からの斜視図である。
【図４】  実施例１の可変入賞装置において可動片を倒伏位置とした時の説明図であり、図４（ａ）は平面図、図４（ｂ）は正面図、図４（ｃ）は背面図である。
【図５】  実施例１の可変入賞装置において可動片を倒伏位置とした時の説明図であり、図５（ａ）は側面図、図５（ｂ）は図４（ｂ）に示すＡ−Ａ断面図である。
【図６】  実施例１の可変入賞装置において可動片を倒伏位置とした時の斜視図であり、図６（ａ）は正面側からの斜視図、図６（ｂ）は背面側からの斜視図である。
【図７】  実施例２の可変入賞装置において可動片を起立位置とした時の説明図であり、図７（ａ）は平面図、図７（ｂ）は正面図、図７（ｃ）は背面図である。
【図８】  実施例２の可変入賞装置において可動片を起立位置とした時の説明図であり、図８（ａ）は側面図、図８（ｂ）は図７（ｂ）に示すＡ−Ａ断面図である。
【図９】  実施例２の可変入賞装置において可動片を起立位置とした時の斜視図であり、図９（ａ）は正面側からの斜視図、図９（ｂ）は背面側からの斜視図である。
【図１０】  実施例２の可変入賞装置において可動片を倒伏位置とした時の説明図であり、図１０（ａ）は平面図、図１０（ｂ）は正面図、図１０（ｃ）は背面図である。
【図１１】  実施例２の可変入賞装置において可動片を倒伏位置とした時の説明図であり、図１１（ａ）は側面図、図１１（ｂ）は図１０（ｂ）に示すＡ−Ａ断面図である。
【図１２】  実施例２の可変入賞装置において可動片を倒伏位置とした時の斜視図であり、図１２（ａ）は正面側からの斜視図、図１２（ｂ）は背面側からの斜視図である。
【符号の説明】
１０    可変入賞装置
１１    台板
１３    入賞穴（開口部）
１５    誘導樋
２０    可動片（開閉体）
２１    支持軸
２５    近接センサ（検出器）
２６    検出穴（通過穴）
２８    駆動軸（突起）
２９    長穴（突起移動域）
３０ａ、３０ｂ  駆動腕
３２    支点軸
３３    連結部
３５    受動部
３９    カム穴
４０    ソレノイド
４１    プランジャ
４５    カム体
５０    可変入賞装置
５２    クランク体
５３    受動部
【図１】
0004503779.tif 000002
【図２】
0004503779.tif 000003
【図３】
0004503779.tif 000004
【図４】
0004503779.tif 000005
【図５】
0004503779.tif 000006
【図６】
0004503779.tif 000007
【図７】
0004503779.tif 000008
【図８】
0004503779.tif 000009
【図９】
0004503779.tif 000010
【図１０】
0004503779.tif 000011
【図１１】
0004503779.tif 000012
【図１２】
0004503779.tif 000013